(57)【要約】【課題】熱風を排出する任意の卓上機器に対して使用することのできる汎用性のある熱排気ダクトを提供する。【解決手段】熱排気ダクト１Ａが、卓上機器２０からの熱風を導入するための開口部２を側面に有し、導入した熱風を排出する開口部３を上方に有する。この熱排気ダクト１Ａは、自立し、排気口２１を有する卓上機器２０に並べて設置される。【選択図】図１
2007272007.tif 000002
【特許請求の範囲】
【請求項１】
排気口を有する卓上機器に並べて設置される熱排気ダクトであって、
熱風を導入する開口部を側面に、熱風を排出する開口部を上方に有する自立式の熱排気ダクト。
【請求項２】
天面の高さが調節可能である請求項１記載の熱排気ダクト。
【請求項３】
側面に開口部を有する下部部材と、上端部に開口部を有する上部部材が、下部部材の上端面と上部部材の底面とが面一になるように回動可能である請求項２記載の熱排気ダクト。
【請求項４】
ダクト内部の壁面に少なくとも１つの熱風反射板が取り付けられている請求項1〜３のいずれかに記載の熱排気ダクト。
【請求項５】
熱風反射板の反射面と卓上設置面とのなす角が３０〜５０°である請求項４記載の熱排気ダクト。
【発明の詳細な説明】
【技術分野】
【０００１】
本発明は、卓上機器が排出する熱風の排出方向を変えることのできる自立式の熱排気ダクトに関する。
【背景技術】
【０００２】
プロジェクタ等の卓上機器には、通常、熱を放出する排気口が設けられている。この排気口は構造上の理由で機器の側面または後部に設けられる場合が多い。このため、排気口からの熱風によって機器の使用者が不快な思いをしたり、隣接しておかれた機器が過度に加熱されたり、卓上の書類が風で飛ばされる等の問題があった。
【０００３】
そこで、プロジェクタの排気口に、排気方向を自由に変更できるようにするダクトを取り付けることがなされている（特許文献１、２）。
【０００４】
【特許文献１】特開平９−３１９００７号公報
【特許文献２】特開２０００−６６３０６号公報
【発明の開示】
【発明が解決しようとする課題】
【０００５】
しかしながら、従来のダクトはプロジェクタの排気口を覆うように当該プロジェクタに取り付けられるため、特定のプロジェクタに専用の付属品となり、任意の卓上機器に対して使用できるものではなく、汎用性に欠けるものであった。
【０００６】
また、従来のプロジェクタでは、原稿がプロジェクタの原稿載置面の周縁部付近に置かれた場合には、原稿載置面からずり落ちるなどの問題点もあった。
【０００７】
これに対し、本発明は、熱風を排出する任意の卓上機器に対して使用することのできる、汎用性のある熱排気ダクトを提供することを目的とし、さらには、このような熱排気ダクトにより、熱風の排出方向を変えると共に原稿載置面に置かれた原稿のずり落ちを防止できるようにすることを目的とする。
【課題を解決するための手段】
【０００８】
本発明者らは、排気口を有する卓上機器に使用する熱排気ダクトを自立式とすることにより、ダクトが任意の卓上機器に対して使用できるようになること、さらには、ダクトの天面の高さを調節可能とすることにより原稿載置面に置かれた原稿のずり落ちを防止できることを見出し、本発明を完成させた。
【０００９】
即ち、本発明は、排気口を有する卓上機器に並べて設置される熱排気ダクトであって、
熱風を導入する開口部を側面に、熱風を排出する開口部を上方に有する自立式の熱排気ダクトを提供し、特に、その天面の高さが調節可能である態様を提供する。
【発明の効果】
【００１０】
本発明の熱排気ダクトによれば、排気口を有する卓上機器に取り付けることなく、並べて置くだけで卓上機器が排出する熱風の排出方向を変えることができるため、任意の卓上機器について、簡便に熱風の排出方向を変更することができる。
【００１１】
また、本発明の熱排気ダクトにおいて、天面の高さを調節できるようにすると、その天面の高さを卓上機器の原稿載置面の高さと合わせることにより、原稿載置面からはみ出た原稿のずり落ちを防止することができる。
【発明を実施するための最良の形態】
【００１２】
以下、図面を参照しつつ、本発明を詳細に説明する。なお、各図中、同一符号は同一又は同等の構成要素を表している。
【００１３】
図１は、本発明の一実施例の熱排気ダクト１Ａの斜視図である。
【００１４】
熱排気ダクト１Ａは横断面四角形の有底筒状体であり、プロジェクタ等の卓上機器からの熱風を導入する開口部２を側面の下部に有し、上方には、導入した熱風を排出する排出口３が開口し、熱排気ダクト１Ａ自体で自立することを特徴としている。側面の開口部２の大きさは、特に制限はなく、一般的なプロジェクタ等の卓上機器の排気口を覆うのに十分な大きさとすればよく、例えば、間口７〜１２ｃｍ、高さ８〜１２ｃｍとする。上方の排出口３の大きさに関しては、熱風の排出抵抗により卓上機器からの熱風の排出に支障がきたされないようにするため、図示したように筒状体の天面全体を開口することが好ましい。
【００１５】
熱排気ダクト１Ａの内部には、熱風反射板４が設けられている。熱風反射板４は、本発明において任意に設けられるが、熱風反射板４を設けることにより、開口部２から略水平方向に流入した熱風の向きを上方に変え、熱風がスムーズに排出されるようになる。熱風反射板４の反射面４ａと熱排気ダクト１Ａの卓上設置面との角度θは、３０〜５０°とすることが好ましい。
【００１６】
熱排気ダクト１Ａの構成素材としては、卓上機器が排出する熱風温度（通常、４０〜６０℃）に耐え、加工性の良いものを使用することが好ましく、例えば、板厚２〜８ｍｍの発泡ポリスチレンボード、プラスチック、木材等を使用することができる。
【００１７】
この熱排気ダクト１Ａの使用方法としては、図２Ａに示すように、その開口部２を、プロジェクタ等の卓上機器２０の排気口２１に対向させ、図２Ｂに示すように卓上機器２０に並置する。これにより、排気口２１から略水平に排気された熱風を、開口部２から熱排気ダクト１Ａ内に導入し、熱風反射板４で熱風の向きを上方に変え、排出口３からスムーズに排出させることができる。したがって、卓上機器２０の排気口２１の前面に位置している者が熱風で不快になったり、他の機器が過度に加熱されたり、卓上の書類などが飛ばされる等の不都合を解消することができる。また、この熱排気ダクト１Ａは、特定の卓上機器の排気口に取り付けられるものではないため、排気口２１を有する任意の卓上機器２０に対して広く使用することができる。
【００１８】
本発明の熱排気ダクトは、種々の態様をとることができる。例えば、図３Ａの熱排気ダクト１Ｂは、開口部２の形成側面と隣り合う一方の側面において、開口部２を有する下部部材５と、上端部が排出口３として開口している上部部材６とを粘着テープ７で繋ぎ、図３Ｂに示すように、下部部材５の上端面５ａと上部部材６の底面６ａとが面一になるように回動により折りたためるようにしたものである。これにより、熱排気ダクト１Ｂの天面の高さを、折りたたみ時と非折りたたみ時との２段階で調節できるようになる。なお、このように回動可能とする場合の下部部材５と上部部材６との接続方法としては、蝶番を利用してもよい。
【００１９】
この熱排気ダクト１Ｂによれば、図４Ａに示すように、非折りたたみ時には、熱排気ダクト１Ｂの上部部材６の天面６ｂがプロジェクタ２０の原稿載置面２２より高い位置となるが、図４Ｂに示すように、折りたたみ時には、熱排気ダクト１Ｂの下部部材５の上端面５ａがプロジェクタ２０の原稿載置面２２と略同じ高さになる場合に、折りたたみ時の熱排気ダクト１Ｂの天面（下部部材５の上端面５ａと上部部材６の底面６ａ）で、プロジェクタ２０の原稿載置面２２からはみ出た原稿３０を支持することが可能となる。したがって、原稿載置面２２に置かれた原稿３０のずり落ちを防止することが可能となる。
【００２０】
図５に示す熱排気ダクト１Ｃは、図４Ａ、図４Ｂの熱排気ダクト１Ｂにおいて、下端部部材６のプロジェクタ投光方向の側面にも排出口３ｂを設けたものである。この熱排気ダクト１Ｃによれば、折りたたみ時の熱排気ダクト１Ｂの天面を覆うほど原稿３０が大きい場合でも、原稿載置面２２からはみ出た原稿３０を折りたたみ時の熱排気ダクト１Ｂの天面で支持しつつ、熱風を排出口３ｂから排気することができる。
【００２１】
図６Ａの熱排気ダクト１Ｄは、上述の回動により折りたたみ可能な熱排気ダクト１Ｂに対して、さらにもう１段、上部部材８を回動可能に接続し、天面の高さ調節を３段階で調節できるようにしたものである。このように多段にする場合には、所定の折りたたみ位置以外で上部部材６，８が不要に浮き上がることを防止するため、隣接する下部部材５あるいは上部部材６，８間に、掛止自在の留め具９を設け、例えば、図６Ｂに示すように、折りたたみ時の構造を安定化させることが好ましい。
【００２２】
この他、本発明の熱排気ダクトには、例えば、図７に示す熱排気ダクト１Ｅのように、熱風反射板４を複数個設けてもよく、図８に示す熱排気ダクト１Ｆのように筒状体の外形に丸みを持たせてもよく、上端部部材６の天面６ｂの高さを卓上機器側の側面で低くしてもよい。
【００２３】
また、図９に示す熱排気ダクト１Ｇのように、一側面の略全面を開口部２としてもよい。これにより、卓上機器の排気口の上下方向の位置にかかわらず、熱排気ダクト１Ｇを使用することができ、熱排気ダクトの汎用性をより高めることができる。
【００２４】
熱排気ダクトの天面の高さ調節は、下部部材５と上部部材６との回動によらず、下部部材５と上部部材６とが上下にスライドするようにしてもよい。
【００２５】
なお、本発明において、上述した態様は種々組み合わせることができる。
【産業上の利用可能性】
【００２６】
本発明の熱排気ダクトは、プロジェクタ等の卓上機器から排出される熱風の排出方向を変えるダクトとして有用である。
【図面の簡単な説明】
【００２７】
【図１】本発明の一実施例の熱排気ダクト１Ａの斜視図である。
【図２Ａ】図１の熱排気ダクト１Ａの使用方法の説明図である。
【図２Ｂ】図１の熱排気ダクト１Ａの使用方法の説明図である。
【図３Ａ】本発明の異なる態様の熱排気ダクト１Ｂの斜視図である。
【図３Ｂ】図３Ａの熱排気ダクト１Ｂの折りたたみ時の斜視図である。
【図４Ａ】図３の熱排気ダクト１Ｂの使用方法の説明図である。
【図４Ｂ】図３の熱排気ダクト１Ｂの使用方法の説明図である。
【図５】本発明の異なる態様の熱排気ダクト１Ｃの折りたたみ時の斜視図である。
【図６Ａ】本発明の異なる態様の熱排気ダクト１Ｄの斜視図である。
【図６Ｂ】図６Ａの熱排気ダクト１Ｄの折りたたみ時の斜視図である。
【図７】本発明の異なる態様の熱排気ダクト１Ｅの斜視図である。
【図８】本発明の異なる態様の熱排気ダクト１Ｆの斜視図である。
【図９】本発明の異なる態様の熱排気ダクト１Ｇの斜視図である。
【符号の説明】
【００２８】
１Ａ、１Ｂ、１Ｃ、１Ｄ、１Ｅ、１Ｆ、１Ｇ    熱排気ダクト
２    開口部
３    排出口
４    熱風反射板
５    下部部材
５ａ  下部部材の上端面
６    上部部材
６ａ  上部部材の底面
６ｂ  上部部材の天面
７    粘着テープ
８    上部部材
９    留め具
２０    プロジェクタ又は卓上機器
２１    排気口
２２    原稿載置面
３０    原稿
【図１】
2007272007.tif 000003
【図２Ａ】
2007272007.tif 000004
【図２Ｂ】
2007272007.tif 000005
【図３Ａ】
2007272007.tif 000006
【図３Ｂ】
2007272007.tif 000007
【図４Ａ】
2007272007.tif 000008
【図４Ｂ】
2007272007.tif 000009
【図５】
2007272007.tif 000010
【図６Ａ】
2007272007.tif 000011
【図６Ｂ】
2007272007.tif 000012
【図７】
2007272007.tif 000013
【図８】
2007272007.tif 000014
【図９】
2007272007.tif 000015